(57)【要約】【課題】電流平衡の効果を高めるマルチランプの駆動システムおよびその電流平衡回路を提供する。【解決手段】マルチランプセットの複数の互いに並列接続したランプの電流を平衡する電流平衡回路であって、前記ランプの第１ランプと第２ランプとの間に接続された少なくとも１つの平衡変圧器、および前記平衡変圧器に並列接続された少なくとも１つのコンデンサを含む電流平衡回路。【選択図】図２
2008140768.tif 000002
【特許請求の範囲】
【請求項１】
マルチランプセットの互いに並列接続した複数のランプの電流を平衡する電流平衡回路であって、
前記ランプである第１ランプと第２ランプとの間に接続された少なくとも１つの平衡変圧器と、
前記平衡変圧器に並列接続された少なくとも１つのコンデンサとを含むことを特徴とする電流平衡回路。
【請求項２】
前記コンデンサは、前記第１ランプに直列接続されることを特徴とする請求項１に記載の電流平衡回路。
【請求項３】
前記平衡変圧器は、
１つの第１端と１つの第２端とを有し、前記第１端が前記コンデンサの一端に電気接続され、前記第２端が前記コンデンサのもう一端と前記第１ランプとに電気接続される一次側コイルと、
１つの第１端と１つの第２端とを有し、前記第１端が前記一次側コイルに電気接続され、前記第２端が前記第２ランプに電気接続される二次側コイルとを更に含むことを特徴とする請求項１に記載の電流平衡回路。
【請求項４】
マルチランプセットの互いに並列接続した複数のランプの電流を平衡する電流平衡回路であって、
少なくとも２つの巻線を有し、且つ、前記巻線が前記ランプにそれぞれ直列接続される少なくとも１つの結合インダクタと、
前記巻線の中の１つに並列接続される少なくとも１つのコンデンサとを含むことを特徴とする電流平衡回路。
【請求項５】
前記コンデンサは、前記ランプにそれぞれ直列接続されることを特徴とする請求項４に記載の電流平衡回路。
【請求項６】
前記コンデンサと前記巻線とは、並列共振の関係からなることを特徴とする請求項４に記載の電流平衡回路。
【請求項７】
前記コンデンサは、前記巻線の寄生容量であることを特徴とする請求項４に記載の電流平衡回路。
【請求項８】
マルチランプセットの互いに並列接続した複数のランプの電流を平衡する電流平衡回路であって、
前記ランプに電気接続され、且つ、それが順次に直列接続される少なくとも２つの平衡変圧器と、
前記平衡変圧器にそれぞれ並列接続される少なくとも２つのコンデンサとを含むことを特徴とする電流平衡回路。
【請求項９】
前記コンデンサは、前記ランプにそれぞれ直列接続されることを特徴とする請求項８に記載の電流平衡回路。
【請求項１０】
前記平衡変圧器は、理想変圧器と磁化インダクタンスとに相当し、前記コンデンサは、前記理想変圧器の一次側または／および二次側にそれぞれ並列接続されることを特徴とする請求項１または８に記載の電流平衡回路。
【請求項１１】
前記コンデンサと前記磁化インダクタンスとは、並列共振の関係からなることを特徴とする請求項１０に記載の電流平衡回路。
【請求項１２】
前記コンデンサは、前記平衡変圧器の寄生容量であることを特徴とする請求項１または８に記載の電流平衡回路。
【請求項１３】
前記平衡変圧器は、
１つの第１端と１つの第２端とを有し、前記第１端が前記コンデンサの一端に電気接続され、前記第２端が前記コンデンサのもう一端と前記ランプの１つとに電気接続される一次側コイルと、
もう１つの平衡変圧器の二次側コイルに直列接続される二次側コイルとを更に含むことを特徴とする請求項８に記載の電流平衡回路。
【請求項１４】
駆動回路と、
前記駆動回路に電気接続された主変圧器と、
前記駆動回路に電気接続されたフィードバック回路と、
前記フィードバック回路に電気接続され、且つ、少なくとも２つの互いに並列接続されたランプを含むランプセットと、
前記ランプと前記主変圧器との間に電気接続され、少なくとも１つのコンデンサと１つの平衡変圧器とを含み、前記平衡変圧器が前記ランプの第１ランプと第２ランプとの間に接続され、前記コンデンサが前記平衡変圧器に並列接続される第１電流平衡回路とを含むことを特徴とするマルチランプの駆動システム。
【請求項１５】
第２電流平衡回路と第３ランプとを更に含み、前記第２電流平衡回路は、少なくとも１つのコンデンサと少なくとも１つの平衡変圧器とを有し、前記コンデンサは、前記第１電流平衡回路に電気接続され、前記平衡変圧器は、前記第３ランプに電気接続され、前記第３ランプは、前記第１ランプと前記第２ランプとに並列接続されることを特徴とする請求項１４に記載のマルチランプの駆動システム。
【請求項１６】
第３電流平衡回路と、第４電流平衡回路と、第４ランプと、第５ランプとを更に含み、前記第３電流平衡回路と前記第４電流平衡回路とは、少なくとも１つのコンデンサと少なくとも１つの平衡変圧器とをそれぞれ有し、前記第３電流平衡回路は、前記第４ランプと前記第５ランプとに電気接続され、前記第４電流平衡回路は、前記主変圧器に電気接続され、且つ、前記第１電流平衡回路と前記第３電流平衡回路とにそれぞれ電気接続されることを特徴とする請求項１４に記載のマルチランプの駆動システム。
【請求項１７】
前記第４電流平衡回路の前記コンデンサは、前記第１電流平衡回路に電気接続され、前記平衡変圧器は、前記第３電流平衡回路に電気接続されることを特徴とする請求項１６に記載のマルチランプの駆動システム。
【請求項１８】
駆動回路と、
前記駆動回路に電気接続された主変圧器と、
前記駆動回路に電気接続されたフィードバック回路と、
前記フィードバック回路に電気接続され、且つ、少なくとも２つの互いに並列接続されたランプを含むランプセットと、
前記ランプと前記主変圧器との間に電気接続され、少なくとも１つのコンデンサと１つの結合インダクタとを含み、前記結合インダクタが少なくとも２つの巻線を有し、且つ、前記巻線が前記ランプにそれぞれ直列接続され、前記コンデンサが前記巻線の中の１つに並列接続される電流平衡回路とを含むことを特徴とするマルチランプの駆動システム。
【請求項１９】
駆動回路と、
前記駆動回路に電気接続された主変圧器と、
前記駆動回路に電気接続されたフィードバック回路と、
前記フィードバック回路に電気接続され、且つ、少なくとも２つの互いに並列接続されたランプを含むランプセットと、
前記ランプと前記主変圧器との間に電気接続され、少なくとも２つのコンデンサと少なくとも２つの平衡変圧器とを含み、前記平衡変圧器が前記ランプに電気接続され、且つ、前記平衡変圧器が順次に直列接続され、前記コンデンサが前記平衡変圧器にそれぞれ平衡接続される電流平衡回路とを含むことを特徴とするマルチランプの駆動システム。
【発明の詳細な説明】
【技術分野】
【０００１】
本発明は、ランプの駆動システムに関し、特に、マルチランプの駆動システムとその電流平衡回路（ｃｕｒｒｅｎｔ ｂａｌａｎｃｅ ｃｉｒｃｕｉｔ）に関するものである。
【背景技術】
【０００２】
近年、フラットディスプレイが用いられることが益々普及し、液晶ディスプレイ（ＬＣＤ）が市場の主流となっている。液晶ディスプレイの技術発展に伴って、大型ディスプレイの需要が増加してきた。このような大型ディスプレイではバックライト源の働きをする冷陰極蛍光管の数を増加させて、充分な輝度を提供しなければならなくなった。例えば、液晶ディスプレイが４０インチに拡大された時、当該液晶ディスプレイが必要なランプの数は増加し、３０本以上となる可能性がある。よって、各ランプの輝度は不均一な現象を生じ易く、従来技術は以下の２種類の方式でこの問題を解決してきた。
【０００３】
図１Ａに示すように、従来の冷陰極蛍光管の駆動システム１は、駆動回路１１と、主変圧器１２と、複数のコンデンサＣと、複数の冷陰極蛍光管１４と、フィードバック回路１３とを含む。電源Ｖｉｎは、駆動回路１１に入力され、主変圧器１２によってその電圧レベルを変換する。フィードバック回路１３は、冷陰極蛍光管１４の中の電圧または電流に基づいて、駆動回路１１を制御し、主変圧器１２に供給する電圧を調整して、冷陰極蛍光管１４の電流を調整し、発光輝度を変える。
【０００４】
冷陰極蛍光管１４の発光輝度を均等にするために、この従来技術は、各冷陰極蛍光管１４に高容量値のコンデンサＣをそれぞれ接続し、冷陰極蛍光管１４の抵抗より遥かに大きいコンデンサＣの抵抗を用いて、電流平衡を実現する。これらのコンデンサＣの分圧作用がこれらの冷陰極蛍光管１４上に分配された電圧を減少させることから、同じ供給電圧を得るために、主変圧器１２の二次側巻数が必然的に増加される。そのため、損耗を増加するだけでなく、現在の各部品の小型化の要求に相当不利である。
【０００５】
図１Ｂに示すように、もう１つの従来の冷陰極蛍光管の駆動システム１’は、駆動回路１１と、主変圧器１２と、インピーダンス整合回路網１５と、複数の冷陰極蛍光管１４と、フィードバック回路１３とを含む。電源Ｖｉｎは、駆動回路１１に入力され、主変圧器１２によってその電圧レベルを変換する。フィードバック回路１３は、冷陰極蛍光管１４の中の電圧または電流に基づいて、駆動回路１１を制御し、主変圧器１２に供給する電圧を調整して、冷陰極蛍光管１４の電流を調整し、発光輝度を変える。
【０００６】
冷陰極蛍光管１４の発光輝度を均等にするために、この従来技術は、インピーダンス整合回路網１５のインピーダンス整合の関係によって、電流平衡を実現する。インピーダンス整合回路網１５は、２つの高圧コンデンサＣと１つのインダクタンスＬによって構成される。２つの高圧コンデンサＣは、これらの冷陰極蛍光管１４（図に示すように２つ冷陰極蛍光管で実施される）にそれぞれ直列接続される。インダクタンスＬは、２つの高圧コンデンサＣの間に電気接続される。駆動システム１’は、インピーダンス整合によって、電流平衡を達成することができるが、この仕方は、オンオフ頻度と負荷変化に対して比較的敏感であり、同時に考慮しなければならない設計パラメータが多くなり、設計を複雑にさせる。特に、マルチランプシステムに用いる時、その電流平衡の効果があまり現れない。
【０００７】
よって、如何にして冷陰極蛍光管の電流平衡回路を提供して、上述の問題の発生を防いで上述の欠点を改善し、冷陰極蛍光管の駆動システムの電流平衡の効果を上げて各ランプの輝度の均等を確保するかが重要な課題となる。
【発明の開示】
【発明が解決しようとする課題】
【０００８】
上述の課題に鑑みて、本発明の目的は、マルチランプの駆動システムおよびその電流平衡回路を提供して電流平衡の効果を高める。
【課題を解決するための手段】
【０００９】
よって、上述の目的を達成するために、本発明は、駆動回路と、駆動回路に電気接続された主変圧器と、駆動回路に電気接続されたフィードバック回路と、フィードバック回路に電気接続され、且つ、少なくとも２つの互いに並列接続されたランプを含むランプセットと、ランプと主変圧器との間に電気接続され、少なくとも１つのコンデンサと１つの平衡変圧器とを含み、平衡変圧器がランプの第１ランプと第２ランプとの間に接続され、コンデンサが平衡変圧器に並列接続される電流平衡回路とを含むマルチランプの駆動システムを提供する。
【００１０】
上述の目的を達成するために、本発明は、駆動回路と、駆動回路に電気接続された主変圧器と、駆動回路に電気接続されたフィードバック回路と、フィードバック回路に電気接続され、且つ、少なくとも２つの互いに並列接続されたランプを含むランプセットと、ランプと主変圧器との間に電気接続され、少なくとも１つのコンデンサと少なくとも１つの結合インダクタとを含み、結合インダクタが少なくとも２つの巻線を有し、且つ、巻線がランプにそれぞれ直列接続され、コンデンサが巻線の中の１つに並列接続される電流平衡回路とを含むマルチランプの駆動システムを提供する。
【００１１】
上述の目的を達成するために、本発明は、駆動回路と、駆動回路に電気接続された主変圧器と、駆動回路に電気接続されたフィードバック回路と、フィードバック回路に電気接続され、且つ、少なくとも２つの互いに並列接続されたランプを含むランプセットと、ランプと主変圧器の間に電気接続され、少なくとも２つのコンデンサと少なくとも２つの平衡変圧器とを含み、平衡変圧器がランプに電気接続され、且つ、平衡変圧器が順次に直列接続され、コンデンサが平衡変圧器にそれぞれ平衡接続される電流平衡回路を含むマルチランプの駆動システムを提供する。
【発明の効果】
【００１２】
本発明のマルチランプの駆動システムは、平衡変圧器、または結合インダクタの１つ側でコンデンサに並行接続される。従来技術と比べ、本発明は、各ランプで流れる電流を全て等しくすることができ、且つ、設計がより簡単で、より多くのランプで構成されたバックライトモジュールに用いても電流平衡の効果を得ることができる。
【発明を実施するための最良の形態】
【００１３】
本発明についての目的、特徴、長所が一層明確に理解されるよう、以下に実施形態を例示し、図面を参照にしながら、詳細に説明する。
【実施例】
【００１４】
図２を参照下さい。本発明の実施例１に基づいたマルチランプの駆動システム２は、バックライトモジュール（未図示）に用いられる。駆動システム２は、駆動回路２１と、主変圧器２２と、フィードバック回路２３と、ランプセット２４と、第１電流平衡回路２５とを含む。電源Ｖｉｎは、駆動回路２１に入力され、主変圧器２２によってその電圧レベルを変換する。フィードバック回路２３は、ランプセット２４より出力された電圧または電流に基づいて、駆動回路２１を制御し、主変圧器２２に供給する電圧を調整する。
【００１５】
本実施例のランプセット２４は、第１ランプ２４１と第２ランプ２４２とにより構成され、第１ランプ２４１と第２ランプ２４２とは、フィードバック回路２３に互いに直列接続される。また、この実施例のこれらの第１ランプ２４１と第２ランプ２４２は、冷陰極蛍光管である。
【００１６】
第１電流平衡回路２５は、主変圧器２２とランプセット２４との間に電気接続され、主変圧器２２で変換された後の電圧レベルを受け、第１ランプ２４１と第２ランプ２４２とに同じ電流を提供する。第１電流平衡回路２５は、少なくとも１つのコンデンサＣと、１つの平衡変圧器（ｂａｌａｎｃｅ ｔｒａｎｓｆｏｒｍｅｒ）２５１とを含む。平衡変圧器２５１は、第１ランプ２４１と第２ランプ２４２との間に接続される。コンデンサＣは、平衡変圧器２５１に並列接続される。平衡変圧器２５１は、１つの一次側コイル２５１１と１つの二次側コイル２５１２とを有する。一次側コイル２５１１は、１つの第１端と１つの第２端とを有し、第１端は、コンデンサＣの一端と主変圧器２２とに電気接続される。第２端は、コンデンサＣのもう一端と第１ランプ２４１とに電気接続される。二次側コイル２５１２は、１つの第１端と１つの第２端とを有し、第１端は、一次側コイル２５１１と主変圧器２２とに電気接続される。第２端は、第２ランプ２４２に電気接続される。
【００１７】
図３を参照下さい。図２の第１電流平衡回路２５の等価回路図である。平衡変圧器２５１は、理想変圧器Ｔｘと磁化インダクタンスＬｍとに相当する。通常、平衡変圧器２５１の一次側及び二次側の巻線巻数が同じであることから、理想変圧器Ｔｘの一次側と二次側とで流れる電流Ｉｓは、等しい。仮に実際的にコンデンサＣを加えなければ、第１ランプ２４１を流れる電流１１は、電流Ｉｍ（磁化インダクタンスＬｍを流れる電流）と電流Ｉｓとの和である。しかし、第１ランプ２４１と第２ランプ２４２とのインピーダンスが等しくない時、電流Ｉ１と電流Ｉ２（第２ランプ２４２を流れる電流）とを等しく維持しなければならない。磁化インダクタンスＬｍのインダクタンス量を１Ｈより大きく設計して初めて、磁化インダクタンスＬｍの電流Ｉｍを、対応して減少することができる。しかし、このため、製造プロセスにおける鉄心とコイルとは、より複雑となり、生産コストが増加し易い。本実施例では、コンデンサＣを用いて、平衡変圧器２５１の一次側に並列接続する。特に、磁化インダクタンスＬｍと並列共振回路を形成し、コンデンサＣと磁化インダクタンスＬｍとの大きさを適当に選択、または設計することによって、その共振周波数を回路の開閉周波数の所で調整する。よって、開閉周波数の所にある並列共振回路のインピーダンスが非常に大きい特色を用いて、コンデンサＣと磁化インダクタンスＬｍとの並列分岐の分流作用を弱め、第１ランプ２４１と第２ランプ２４２とで流れる電流Ｉ１、Ｉ２を、理想変圧器Ｔｘの一次側と二次側とで流れる電流Ｉｓとほぼ同じようにすることができる。
【００１８】
注意するのは、上述のコンデンサＣは、平衡変圧器２５１の一次側に並列接続されるとは限らず、平衡変圧器２５１の二次側に並列接続されるように設計することもできる。または、平衡変圧器２５１の一次側、二次側に同時に並列接続されることもできる。
【００１９】
また、平衡変圧器２５１のコイルに合理的な設計にすれば、コイル本体の寄生容量を用いてコンデンサＣの機能に置き換えることもでき、同じ電流平衡の効果を得ることができる。
【００２０】
また、図４を参照下さい。本発明の実施例２の概略図である。本実施例の駆動システム３と実施例１の異なる所は、第２電流平衡回路２５’を新しく増加した所であり、且つ、ランプセット２４は、第３ランプ２４３を新しく増加している。また、図からわかるように、第２電流平衡回路２５’と第１電流平衡回路２５の構成は同じである。第２電流平衡回路２５’の平衡変圧器２５１’の一次側コイル２５１１’の第１端は、コンデンサＣ’の一端と主変圧器２２に電気接続され、第２端は、コンデンサＣのもう一端と第１電流平衡回路２５とに電気接続される。第２電流平衡回路２５’の平衡変圧器２５１’の二次側コイル２５１２’の第１端は、一次側コイル２５１１’と主変圧器２２とに電気接続され、第２端は、第３ランプ２４３に電気接続される。
【００２１】
本実施例の第１電流平衡回路２５は、第１ランプ２４１と第２ランプ２４２との電流を平衡することができ、第２電流平衡回路２５’は、第２ランプ２４２と第３ランプ２４３との電流を平衡することができる。この構成に依れば、第３ランプ２４３で流れる電流を等しくし、電流平衡の効果を得ることができる。
【００２２】
図５を参照下さい。本発明の実施例３の概略図である。本実施例の駆動システム４と実施例１の異なる所は、第３電流平衡回路２５（３）と第４電流平衡回路２５（４）を新しく増加した所であり、且つ、ランプセット２４は、第４ランプ２４４と第５ランプ２４５とを新しく増加している。また、図からわかるように、第３電流平衡回路２５（３）と、第４電流平衡回路２５（４）と、第１電流平衡回路２５との構成は同じである。第３電流平衡回路２５（３）と、第４ランプ２４４及び第５ランプ２４５との接続関係は、第１電流平衡回路２５と、第１ランプ２４１及び第２ランプ２４２との接続関係と同じである。
【００２３】
第４電流平衡回路２５（４）は、主変圧器２２に電気接続され、第１電流平衡回路２５と第３電流平衡回路２５（３）との間に接続される。本実施例の第４電流平衡回路２５（４）は、第１電流平衡回路２５と第３電流平衡回路２５（３）とが受けた回路を平衡することができ、且つ、第１電流平衡回路２５と第３電流平衡回路２５（３）の電流平衡の効果によって、更に第１ランプ２４１と、第２ランプ２４２と、第４ランプ２４４と、第５ランプ２４５とで流れる電流を等しくすることができる。
【００２４】
注意するのは、Ｎ個のランプに用いたい時、Ｎ−１個の電流平衡回路に合わせることができ、枝状の配列（図５の再延伸）を形成することができる。
【００２５】
図６を参照下さい。本発明の実施例４の概略図である。本実施例の駆動システム５と実施例１の異なる所は、電流平衡回路２６によって実施例１の第１電流平衡回路２５に置き換える所であり、且つ、本実施例では、ランプセット２４は、Ｎ個のランプ（２４１〜２４Ｎ）を有する。
【００２６】
電流平衡回路２６は、結合インダクタ２６１と複数のコンデンサＣを含み、複数の巻線Ｌによって構成される。この実施例では、コンデンサＣと巻線Ｌとは、全てランプに対応してＮ個を有する。コンデンサＣは、巻線Ｌにそれぞれ並列接続され、並列共振回路を形成する。また、各コンデンサＣと各巻線Ｌとの大きさを適当に選択、または設計することによって、その共振周波数を回路の開閉周波数の所で調整すれば、上述のように、コンデンサＣと巻線Ｌとの並列分岐の分流作用を弱めることを達成することができ、各ランプ（２４１〜２４Ｎ）で流れる電流を等しくする効果を達成することができる。
【００２７】
ここでもう１つ説明しなければならないのは、電流平衡回路２６は、コンデンサＣによって巻線Ｌの中の１つに並列して構成されることもできることである。例えば、コンデンサＣは、図６のランプ２４１と電気接続された巻線Ｌに並列することができる。よって、ランプ２４１とランプ２４２とが流す電流は、同じであり、電流平衡の効果を得ることができる。
【００２８】
上述の平衡変圧器２５１と巻線Ｌとは実際には、寄生容量を含むが、従来の回路のほとんどが寄生容量を回路配置の方式でなくすが、本発明は、それを保留し、直接、平衡変圧器２５１と巻線Ｌとで並列共振回路を形成する。よって、前述の各実施例で見られるコンデンサＣは、各平衡変圧器２５１と各巻線Ｌとの寄生容量として見なすことができる。
【００２９】
図７を参照下さい。本発明の実施例４の概略図である。本実施例の駆動システム６と実施例１の異なる所は、電流平衡回路２７によって実施例１の第１電流平衡回路２５に置き換える所であり、且つ、本実施例では、ランプセット２４は、Ｎ個のランプ（２４１〜２４Ｎ）を有する。
【００３０】
電流平衡回路２７は、複数の平衡変圧器２５１と複数のコンデンサＣとを含む。この実施例では、平衡変圧器２５１とコンデンサＣとは、全てランプに対応してＮ個を有する。コンデンサＣは、平衡変圧器２５１にそれぞれ並列接続され、並列共振回路を形成する。前述のように、各コンデンサＣと各磁化インダクタンスＬｍとの大きさを適当に選択、または設計することによって、その共振周波数を回路の開閉周波数の所で調整すれば、コンデンサＣと磁化インダクタンスＬｍとの並列分岐の分流作用を弱め、各ランプ（２４１〜２４Ｎ）で流れる電流を等しくすることができる。
【００３１】
最後に、ここで説明を補充しなければならないのは、上述の各実施例の電流平衡回路は、全て主変圧器と各ランプとの間に設置されるが、実施的には、各ランプとフィードバック回路との間に設置されて、インピーダンス整合の効果を得て各ランプで流れる電流を等しくすることもできる。しかしこの設置位置に関する変更は、従来の回路設計者が本案の発明特徴を理解した後、容易に変換できるもののため、ここでは図式と説明を省略する。
【００３２】
本発明のマルチランプの駆動システムとその電流平衡回路は、平衡変圧器、または結合インダクタの１つ側でコンデンサに並行接続されることで、並列共振回路が構成され、適当な共振周波数を選択、または設計し、並列分岐の分流作用を弱める。従来技術と比べ、本発明は、各ランプで流れる電流を全て等しくすることができ、且つ、設計がより簡単で、より多くのランプで構成されたバックライトモジュールに用いても電流平衡の効果を得ることができる。
【００３３】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３４】
【図１Ａ】従来のマルチランプの駆動システムの概略図である。
【図１Ｂ】従来のもう１つのマルチランプの駆動システムの概略図である。
【図２】本発明のマルチランプの駆動システムの実施例１の概略図である。
【図３】図２の電流平衡回路の等価回路図である。
【図４】本発明のマルチランプの駆動システムの実施例２の概略図である。
【図５】本発明のマルチランプの駆動システムの実施例３の概略図である。
【図６】本発明のマルチランプの駆動システムの実施例４の概略図である。
【図７】本発明のマルチランプの駆動システムの実施例５の概略図である。
【符号の説明】
【００３５】
１  駆動システム
１１  駆動回路
１２  主変圧器
１３  フィードバック回路
１４  ランプ
１５  インピーダンス整合回路網
２  駆動システム
２１  駆動回路
２２  主変圧器
２３  フィードバック回路
２４  ランプセット
２４１  第１ランプ
２４２  第２ランプ
２４３  第３ランプ
２４４  第４ランプ
２４５  第５ランプ
２５  第１電流平衡回路
２５１  平衡変圧器
２５１１  一次側コイル
２５１２  二次側コイル
２６  電流平衡回路
２６１  結合インダクタ
２７  電流平衡回路
Ｃ  コンデンサ
Ｉ１  電流
Ｉ２  電流
Ｉｍ  電流
Ｉｓ  電流
Ｌ  インダクタンス
Ｌｍ  磁化インダクタンス
Ｔｘ  理想変圧器
Ｖｉｎ  電源
【図１Ａ】
2008140768.tif 000003
【図１Ｂ】
2008140768.tif 000004
【図２】
2008140768.tif 000005
【図３】
2008140768.tif 000006
【図４】
2008140768.tif 000007
【図５】
2008140768.tif 000008
【図６】
2008140768.tif 000009
【図７】
2008140768.tif 000010